(57)【特許請求の範囲】
【請求項１】
少なくとも１つのオルガノシリコーン化合物と、
少なくとも１つの架橋剤と、
触媒とを含み、
前記架橋剤は、少なくとも１つの一般式Ｓｉ（Ｒ１）ｎＲ２ｍ  （Ｉ）を有する化合物（ここでｎ＝１，２，３または４、そしてｍ＝（４−ｎ）であり、基Ｒ１は一般式―ＯＣＨ（ＣＨ３）ＣＯＯＲの２−ヒドロキシプロピオン酸アルキルエステル基であり、基Ｒは任意に置換された、炭素原子１ないし４を有する直鎖または分岐鎖アルキル基であり、そして基Ｒ２は、任意に置換された、少なくとも炭素原子１個を有する直鎖または分岐鎖アルキル基、任意に置換された、少なくとも炭素原子２個を有する直鎖または分岐鎖アルケニルまたはアルキニル基、任意に置換された、少なくとも炭素原子３個を有するシクロアルキル基、および任意に置換された、少なくとも炭素原子５個を有するアリール基よりなる群から選ばれる。）を含み、
前記触媒は、６〜１９の炭素原子を有する１以上の分岐鎖飽和カルボン酸の亜鉛塩であるカルボン酸亜鉛塩と、６〜１９の炭素原子を有する１以上の分岐鎖飽和カルボン酸のビスマス塩、カルシウム塩、カリウム塩、リチウム塩、マグネシウム塩、ナトリウム塩から選択されたカルボン酸金属塩を含み、
前記少なくとも１つのオルガノシリコーン化合物と前記少なくとも１つの架橋剤とは、前記架橋剤と前記オルガノシリコーン化合物が重合または縮合し、Ｓｉ−Ｏ−Ｓｉ結合が形成されることによって架橋する、組成物。
【請求項２】
前記カルボン酸亜鉛塩の亜鉛原子数と前記カルボン酸金属塩の金属原子数の比が２：１〜１：２である、請求項１に記載の組成物。
【請求項３】
ビスマス−トリス（２−エチルヘキサノアト）、カルシウム−ビス（２−エチルヘキサノアト）、ナトリウム（２−エチルヘキサノアト）、亜鉛−ビス（２−エチルヘキサノアト）から選択される少なくとも１つのカルボン酸金属塩を含むことを特徴とする、請求項１または請求項２に記載の組成物。
【請求項４】
カルシウム−ビス（２−エチルヘキサノアト）と亜鉛−ビス（２−エチルヘキサノアト）を含む、請求項１から請求項３までのいずれか１項に記載の組成物。
【請求項５】
ビスマス−トリス（２−エチルヘキサノアト）と亜鉛−ビス（２−エチルヘキサノアト）を含む、請求項１から請求項３までのいずれか１項に記載の組成物。
【請求項６】
ナトリウム（２−エチルヘキサノアト）と亜鉛−ビス（２−エチルヘキサノアト）を含む、請求項１から請求項３までのいずれか１項に記載の組成物。
【請求項７】
前記カルボン酸亜鉛塩の亜鉛原子数と前記カルボン酸金属塩の金属原子数の比が１．３：１〜１：１．３である、請求項２から請求項６までのいずれか１項に記載の組成物。
【請求項８】
塩基性化合物から選択される助触媒をさらに含むことを特徴とする、請求項１から請求項７までのいずれか１項に記載の組成物。
【請求項９】
前記助触媒はトリエチルアミンである、請求項８に記載の組成物。
【請求項１０】
オルガノシリコーン化合物は、α，ω−ジヒドロキシ末端ポリオルガノシロキサン化合物を含むことを特徴とする、請求項１から請求項９までのいずれか１項に記載の組成物。
【請求項１１】
オルガノシリコーン化合物はα，ω−ジヒドロキシ末端ポリジアルキルシロキサンを含む、請求項１０に記載の組成物。
【請求項１２】
架橋剤は、メチル−トリス（エチルラクタート）シラン、エチル−トリス（エチルラクタート）シラン、フェニル−トリス（エチルラクタート）シラン、ビニル−トリス（エチルラクタート）シラン、テトラ（エチルラクタート）シランからなる群から選択された少なくとも１つの化合物を含むことを特徴とする、請求項１から請求項１１までのいずれか１項に記載の組成物。
【請求項１３】
オルガノシリコーン化合物４０〜９０重量％、架橋剤１〜１５重量％、触媒０．１〜５．０重量％を含むことを特徴とする、請求項１から請求項１２までのいずれか１項に記載の組成物。
【請求項１４】
第１の工程で、それに続く工程で得られた組成物が触媒と混合される前に第１の触媒が添加され、第１の触媒は少なくとも１つの２−エチルヘキシルホスフェートから選択され、少なくとも１つのオルガノシリコーン化合物と少なくとも１つの架橋剤が混合され互いに反応し、触媒は、互いに異なり互いに独立してカルボン酸金属塩から選択される少なくとも２つの化合物を含み、
前記架橋剤は、少なくとも１つの一般式Ｓｉ（Ｒ１）ｎＲ２ｍ  （Ｉ）を有する化合物（ここでｎ＝１，２，３または４、そしてｍ＝（４−ｎ）であり、基Ｒ１は一般式―ＯＣＨ（ＣＨ３）ＣＯＯＲの２−ヒドロキシプロピオン酸アルキルエステル基であり、基Ｒは任意に置換された、炭素原子１ないし４を有する直鎖または分岐鎖アルキル基であり、そして基Ｒ２は、任意に置換された、少なくとも炭素原子１個を有する直鎖または分岐鎖アルキル基、任意に置換された、少なくとも炭素原子２個を有する直鎖または分岐鎖アルケニルまたはアルキニル基、任意に置換された、少なくとも炭素原子３個を有するシクロアルキル基、および任意に置換された、少なくとも炭素原子５個を有するアリール基よりなる群から選ばれる。）を含む、
請求項１から請求項１３までのいずれか１項に記載の組成物の製造方法。
【請求項１５】
第１の触媒の添加によって、前記少なくとも１つのオルガノシリコーン化合物と、前記少なくとも１つの架橋剤との反応によって得られた組成物は、前記触媒の混合に先立って、塩基性化合物の添加によって中和されることを特徴とする、請求項１４に記載の方法。
【請求項１６】
前記塩基性化合物はトリエチルアミンである、請求項１５に記載の方法。
【請求項１７】
請求項１から請求項１３までのいずれか１項に記載の組成物をシーラント、粘着剤、またはコーティング剤として使用する、組成物の使用方法。
【請求項１８】
触媒を、架橋剤を有するシリコーンゴム材料の架橋用として使用する触媒の使用方法であって、
前記触媒は、６〜１９の炭素原子を有する１以上の分岐鎖飽和カルボン酸の亜鉛塩であるカルボン酸亜鉛塩と、６〜１９の炭素原子を有する１以上の分岐鎖飽和カルボン酸のビスマス塩、カルシウム塩、カリウム塩、リチウム塩、マグネシウム塩、ナトリウム塩から選択されるカルボン酸金属塩を含み、
前記架橋剤は、少なくとも１つの一般式Ｓｉ（Ｒ１）ｎＲ２ｍ  （Ｉ）を有する化合物（ここでｎ＝１，２，３または４、そしてｍ＝（４−ｎ）であり、基Ｒ１は一般式―ＯＣＨ（ＣＨ３）ＣＯＯＲの２−ヒドロキシプロピオン酸アルキルエステル基であり、基Ｒは任意に置換された、炭素原子１ないし４を有する直鎖または分岐鎖アルキル基であり、そして基Ｒ２は、任意に置換された、少なくとも炭素原子１個を有する直鎖または分岐鎖アルキル基、任意に置換された、少なくとも炭素原子２個を有する直鎖または分岐鎖アルケニルまたはアルキニル基、任意に置換された、少なくとも炭素原子３個を有するシクロアルキル基、および任意に置換された、少なくとも炭素原子５個を有するアリール基よりなる群から選ばれる。）を含み、
前記シリコーンゴム材料は、前記架橋剤と前記オルガノシリコーン化合物が重合または縮合し、Ｓｉ−Ｏ−Ｓｉ結合が形成されることによって形成される、触媒の使用方法。
【請求項１９】
前記カルボン酸亜鉛塩中の亜鉛原子の数と前記カルボン酸金属塩中の金属原子の数の比が２：１〜１：２である、請求項１８に記載の触媒の使用方法。
【請求項２０】
触媒は、ビスマス−トリス（２−エチルヘキサノアト）、カルシウム−ビス（２−エチルヘキサノアト）、ナトリウム（２−エチルヘキサノアト）、亜鉛−ビス（２−エチルヘキサノアト）から選択される少なくとも１つのカルボン酸金属塩を含むことを特徴とする請求項１８または請求項１９に記載の触媒の使用方法。
【請求項２１】
触媒はカルシウム−ビス（２−エチルヘキサノアト）と亜鉛−ビス（２−エチルヘキサノアト）を含む、請求項１８から請求項２０までのいずれか１項に記載の触媒の使用方法。
【請求項２２】
触媒はビスマス−トリス（２−エチルヘキサノアト）と亜鉛−ビス（２−エチルヘキサノアト）を含む、請求項１８から請求項２０までのいずれか１項に記載の触媒の使用方法。
【請求項２３】
触媒はナトリウム（２−エチルヘキサノアト）と亜鉛−ビス（２−エチルヘキサノアト）を含む、請求項１８から請求項２０までのいずれか１項に記載の触媒の使用方法。
【請求項２４】
前記カルボン酸亜鉛塩中の亜鉛原子の数と前記カルボン酸金属塩中の金属原子の数の比が１．３：１〜１：１．３である、請求項１９から請求項２３までのいずれか１項に記載の触媒の使用方法。
【請求項２５】
塩基性化合物から選択される助触媒をさらに使用することを特徴とする、請求項１８から請求項２４までのいずれか１項に記載の触媒の使用方法。
【請求項２６】
前記助触媒はトリエチルアミンである、請求項２５に記載の触媒の使用方法。
【請求項２７】
触媒と混合する前に、少なくとも１つのオルガノシリコーン化合物と、少なくとも１つの架橋剤が混合され互いに反応することを特徴とし、
前記架橋剤は、少なくとも１つの一般式Ｓｉ（Ｒ１）ｎＲ２ｍ  （Ｉ）を有する化合物（ここでｎ＝１，２，３または４、そしてｍ＝（４−ｎ）であり、基Ｒ１は一般式―ＯＣＨ（ＣＨ３）ＣＯＯＲの２−ヒドロキシプロピオン酸アルキルエステル基であり、基Ｒは任意に置換された、炭素原子１ないし４を有する直鎖または分岐鎖アルキル基であり、そして基Ｒ２は、任意に置換された、少なくとも炭素原子１個を有する直鎖または分岐鎖アルキル基、任意に置換された、少なくとも炭素原子２個を有する直鎖または分岐鎖アルケニルまたはアルキニル基、任意に置換された、少なくとも炭素原子３個を有するシクロアルキル基、および任意に置換された、少なくとも炭素原子５個を有するアリール基よりなる群から選ばれる。）を含む、請求項１８から請求項２６までのいずれか１項に記載の触媒の使用方法。
【請求項２８】
第１の工程で、それに続く工程で得られた組成物が触媒と混合される前に第１の触媒が添加され、第１の触媒は酸性化合物から選択され、前記少なくとも１つのオルガノシリコーン化合物と前記少なくとも１つの架橋剤が混合され互いに反応し、得られた組成物は塩基性化合物を加えることによって中和されることを特徴とする、請求項２７に記載の触媒の使用方法。
【請求項２９】
前記酸性化合物は２−エチルヘキシルホスフェートである、請求項２８に記載の触媒の使用方法。
【請求項３０】
前記塩基性化合物はトリエチルアミンである、請求項２８または請求項２９に記載の触媒の使用方法。
【請求項３１】
前記オルガノシリコーン化合物は、α，ω−ジヒドロキシ末端ポリオルガノシロキサン化合物である、請求項２７から請求項３０までのいずれか１項に記載の触媒の使用方法。
【請求項３２】
前記オルガノシリコーン化合物はα，ω−ジヒドロキシ末端ポリジアルキルシロキサンである、請求項３１に記載の触媒の使用方法。
【請求項３３】
前記架橋剤は、メチル−トリス（エチルラクタート）シラン、エチル−トリス（エチルラクタート）シラン、フェニル−トリス（エチルラクタート）シラン、ビニル−トリス（エチルラクタート）シラン、テトラ（エチルラクタート）シランからなる群から選択された少なくとも１つの化合物を含むことを特徴とする、請求項２７から請求項３２までのいずれか１項に記載の触媒の使用方法。
【請求項３４】
オルガノシリコーン化合物４０〜９０重量％、架橋剤１〜１５重量％、触媒０．１〜５．０重量％が使用されることを特徴とする、請求項２７から請求項３３までのいずれか１項に記載の触媒の使用方法。
【発明の詳細な説明】
【技術分野】
【０００１】
本発明は、乳酸塩を基礎とする架橋剤を有するシリコーンゴム材料の架橋用の触媒に関する。より特定的には、本発明は、乳酸塩を基礎とする架橋剤を有するシリコーンゴム材料の製造用組成物を提供する。組成物は触媒を含み、触媒は、少なくとも２つの化合物を含む。２つの化合物は、互いに異なり、カルボン酸金属塩から互いに独立して選択される。さらに、本発明はそのような組成物の製造方法と、シリコーンゴム材料の架橋用の触媒、特に、乳酸塩を基礎とする架橋剤を有するシリコーンゴム材料の架橋用の触媒の使用と、シリコーンゴム材料を製造するための本発明の組成物の使用、特に、シーラント、接着剤、またはコーティング剤としての使用を提供する。
【背景技術】
【０００２】
ＲＴＶシリコーンゴム材料とも称される室温硬化シリコーンゴムは、弾力性を有する注文仕様材料としてしばしば知られている。一般にそれらは、建築および衛生設備において継目充填およびシーリングコンパウンドのような使用におけるガラス、陶磁器、セラミックス、石材、プラスチック、金属、木材等のためのシーラントまたは接着剤として、または例えばエレクトロニックス産業においてコーティング剤として使用される（Ｒｏｍｐｐ  Ｃｈｅｍｉｅ  Ｌｅｘｉｋｏｎ，ＣＤ  ＲＯＭ，ｖｅｒｓｉｏｎ  ２．０，ｅｄ，ｊ．Ｆａｌｂｅ，Ｔｈｉｅｍｅ−Ｖｅｒｌａｇ，Ｓｔｕｔｔｇａｒｔ  １９９９；Ｕｌｌｍａｎｎｓ  Ｅｎｚｙｋｌｏｐａｄｉｅ  ｄｅｒ  Ｔｅｃｈｎｉｓｃｈｅｎ  Ｃｈｅｍｉｅ，４ｔｈ  ｅｄｉｔｉｏｎ，ｅｄ．Ｅ．Ｂａｒｔｈｏｌｏｍｅ，Ｖｅｒｌａｇ  Ｃｈｅｍｉｅ，Ｗｅｉｎｈｅｉｍ  １９８２，ｖｏｌ．２１，ｐ．５１１  ｅｔ  ｓｅｑ．）。単一成分ＲＴＶシリコーンゴム材料（ＲＴＶ−１）は特に、例えばα，ω−ジヒドロキシ−ポリオルガノシロキサンと適切な架橋剤（架橋剤または硬化剤ともいう。）との可塑的に成形し得る混合物に使用される。この混合物は水分不存在下の貯蔵に適し、しかし室温において水または空気中の湿気の影響のもとに（例えば適切なカートリッジ内で）重合する。原則として、重合はＳｉＯＨ基と架橋剤の適当な加水分解可能なＳｉＸ基の縮合によって生起する。
【０００３】
所望の重合速度と、そして重合生成物の所望の化学的および物理的性質、例えば所望の架橋度および耐溶剤性等に応じて、種々の多官能性架橋剤（硬化剤）、例えば３官能および／または４官能架橋剤（硬化剤）が、２官能かまたはもっと多い官能基を持つ種々のポリオルガノシロキサンと共に使用される。最も頻繁に選ばれる２官能ポリオルガノシロキサンはα，ω−ジヒドロキシ−ポリオルガノシロキサンである。
【０００４】
この加水分解によって放出される脱離基（ＨＸ）に基いて、ＲＴＶ−１シリコーンゴムは酸性系（ＨＸ＝酸例えば酢酸等）、塩基性系（例えばＨＸ＝アミン等）、および中性系（例えばＨＸ＝アルコールまたはオキシム等）の区別がなされる。現在市販されているＲＴＶ−１シリコーンゴム材料は、通常、酢酸を放出して加水分解する酸系またはブタン−２−オンオキシム（またはメチルエチルケトオキシム，ＭＥＫＯ）のようなオキシム化合物を放出して加水分解する中性系を含む。
【０００５】
架橋する時、酸性のＲＴＶ−１ゴム材料は、例えば金属、石材またはモルタルを腐食または分解する可能性ある攻撃的化合物を放出し、さらに、かなりの臭いの問題があるので、例えば、ブタン−２−オンオキシム（またはメチルエチルケトオキシム，ＭＥＫＯ）のようなオキシム化合物を放出して加水分解する中性系の架橋剤であるオキシモシラン架橋剤が現在しばしば用いられる。
【０００６】
最近発見されたように、ブタン−２−オシオキシムは癌を発生させ得る。それ故、ブタン−２−オンオキシムを放出する化合物の今後の使用は、健康理由のため原則として禁止されている。このことが２００４年以後、ブタン−２−オンオキシムはＲ記号（リスク記号）“Ｒ４０”（発癌効果を持つ疑いがある）によって標識しなければならない理由である。その結果、シリコーンゴム材料も、もしそれらが一定の閾値以上の濃度において遊離ブタン−２−オンオキシムを含んでいるならばそのように標識しなければならない。この標識要求は、特に遊離ブタン−２−オンオキシム含量が１％未満でない限り、例えばシーラントカートリッジに含まれているようなシリコーンゴム材料を含んでいる（２００４年１月２４日のヨーロッパ連合のオフィシャルジャーナルに発表された２００６年１月２３日付の理事会指令２００６／８／ＥＧの準備指令の“混合規則”を参照）。
【０００７】
実際上従来のすべての架橋剤が健康面において他の欠点を持っている。すなわち、化合物が架橋の間ひどく臭い、しばしば極端にひどく臭い、特に閉ざされた空間において作業するとき多大の不快を発生させる。
【０００８】
従来の架橋剤のこれらの不利な観点から、本発明者らは先に、乳酸塩、特にエチルラクタートを基礎とする新たな架橋剤（硬化剤）を発明している。この架橋剤は、毒性がなく、悪臭がなく、架橋時に攻撃的な化合物を放出しない。この架橋剤はＥＰ  ２  ０３０  ９７６  Ａ１に詳細に記述されている。
【０００９】
シリコーンゴム材料に望まれる広範な応用範囲のため、シリコーンゴム材料は、例えば、木、ニスを塗られた木、つや出しをされた木、例えば鋼、アルミニウム、粉で被覆したアルミニウムのような金属、ガラス、例えばポリ塩化ビニル（ＰＶＣ）のようなプラスチック、ポリアミド、コンクリート等、可能な限り多くの表面に粘着しなければならない。さらに、シリコーンゴム材料は、不完全に反応した出発物質等の後からのブリーディングを避けるため、ゴム材料の可能な限り最大限の完全重合を達成しなければならない。加えて、シリコーンゴム材料は、通常のカートリッジ内での貯蔵において安定でなくてはならない。すなわち、好ましくは、充填後に封止されたカートリッジと、既に開けられたカートリッジおよび／または部分的に空になったカートリッジのいずれにおいても、貯蔵時間によって特性が変化してはならない。最後に、シリコーンゴム材料の架橋（硬化）が完了して得られる重合生成物は、透明でなければならない。
【００１０】
重合速度および／または重合度を制御するための高分子の実際の構成要素、例えば、架橋剤とポリオルガノシロキサンの適切な選択は別として、通常架橋剤が添加される。それによって、例えば、スキン形成時間（すなわち、適用された材料上に最初に完全なスキンが形成される時間）、タックフリータイム（すなわち、表面が粘着性を示さなくなる時間）および完全硬化（すなわち、重合が完了する時間）等のシリコーンゴム材料の重要な製品特性が影響を受ける。例えば、以下の特性は商業的なシリコーンシーリング化合物に期待されるものである：１０ｍｍの高さに適用した場合、スキン形成時間５〜１５分、タックフリー時間１５〜１２０分、完全硬化最大７日。スキン形成時間、タックフリー時間、完全硬化についての詳細は、例えば、Ｉｎｄｕｓｔｒｉｅｖｅｒｂａｎｄ  Ｄｉｃｈｔｓｔｏｆｆｅ  ｅ．Ｖ．  （ＩＶＤ）によって出版された「Ｐｒａｘｉｓｈａｎｄｂｕｃｈ  Ｄｉｃｈｔｓｔｏｆｆｅ」（第３版  １９９０年）から得られる。
【００１１】
現在まで、シリコーンゴム材料の触媒として、通常縮合架橋ポリシロキサンのために採用される金属有機触媒、特に、アルキルスズカルボキシレート、特にジブチルスズジラウレート、ジオクチルスズジラウレートといった有機スズ化合物が使用されていた。しかしながら、このような有機スズ化合物は毒性を示し、商業的に利用可能な製品の使用が規制されている（２００９年５月２８日付のＥＵ指令７６／７６９／ＥＷＧ参照）。
【００１２】
これまでこの分野では、代替として、有機スズ化合物を含まない別の触媒がポリシロキサンの架橋剤として用いられていた。
【００１３】
例えば、例えばＥＰ  １  ２３０  ２９８  Ａ１とＥＰ  ２  ２９０  ００７  Ａ１に記述されているように、チタニウム系化合物は触媒として使用され得る。しかしながら、チタニウム化合物系の触媒は、製品に黄変および／または表面の粘着を引き起こし、加硫速度の遅さ、望まれるべき貯蔵安定性、現在のアミノシラン系の粘着力促進剤（カップリング剤）との不適合さが知られている。
【００１４】
さらに、ＥＰ  １  ２３０  ２９８  Ａ１はスズのキレートだけでなく、アミンとスズ、亜鉛、鉄、鉛、バリウム、ジルコニウムの金属塩を基礎とする触媒を示している。この触媒は、黄変が少ない製品となるが、ＥＰ  ２  ２９０  ００７  Ａ１によれば、遅い触媒である。
【００１５】
従って、ＥＰ  ２  ２９０  ００７  Ａ１はＩ族、ＩＩ族と遷移金属の金属化合物、すなわち、Ｌｉ，Ｎａ，Ｋ，Ｒｂ，Ｃｓ，Ｂｅ，Ｍｇ，Ｃａ，Ｓｒ，Ｂａ，Ｃｕ，Ａｇ，Ａｕ，Ｚｎ，ＣｄとＨｇの高純度のカルボン酸塩を基礎とする触媒を提案する。これは、有機酸または無機酸の形の酸の助触媒を添加することによって受容可能な硬化過程を有する製品になる。ＥＰ  ２  ２９０  ００７  Ａ１は酸（酢酸）または中性の化合物（アルコールまたはＭＥＫＯ）を放出して加水分解する架橋剤（硬化剤）を有するシリコーンゴム材料におけるこの触媒の使用、特に、カルボン酸リチウムまたはカルボン酸ストロンチウムから作製された触媒の使用を記載する。
【００１６】
Ｌｉ，Ｎａ，Ｋ，Ｍｇ，Ｃａ，Ｓｒ化合物系の触媒を、酸の助触媒を同時に追加することなく使用することは、ＥＰ  ２  ２８０  ０４１  Ａ１に記載されている。そこでは、特に、オクタゾーリンゲムリチウムまたはオオクタゾーリンゲムストロンチウムのアルコキシ、アセトキシまたはオキシモＲＴＶ−１との組合せの使用によって所望の特性を有する製品になることがさらに記載されている。
【発明の概要】
【発明が解決しようとする課題】
【００１７】
しかしながら、本発明者らは、上述の既知の非スズ触媒と乳酸塩を基礎とする架橋剤（硬化剤）との組合せは、所望の特性を有する製品（ＲＴＶ−１）にならないことを見出した。そこで、既知の非スズ触媒で製造されたシーリング化合物は、不十分な硬化と不十分な貯蔵安定性に加えて、多くのキャリヤ（基材）への粘着力が不十分であることがわかった。特にリチウム含有触媒では、貯蔵中にシーリング化合物の黄変は観察された。
【００１８】
したがって、本発明の目的は、シリコーンゴム材料用の触媒、特に、乳酸塩を基礎とする架橋剤を含むシリコーンゴム材料用の触媒を提供することである。この触媒は数多くの、特に毒性に関して乳酸塩架橋剤の有利さを利用することを可能にし、同時に、例えば有機スズ化合物を基礎とする触媒に対して毒性がないことを可能にする。
【００１９】
シリコーンゴム材料のように高度に最適化された系では、わずかな変化が系を壊し、全体の最適特性を劣化させ得ることが知られている。従って、ＲＴＶ−１に対して望まれる全ての特性を備えるが先行技術に対して不利な点を有しない乳酸塩架橋剤を有するシリコーンゴム材料用の改良された触媒を提供することが本発明の課題である。
【００２０】
本発明の課題は、独立項の主題によって解決される。好ましい実施形態は従属項の主題である。
【課題を解決するための手段】
【００２１】
上述の課題を解決するため、本発明は、乳酸塩を基礎とする架橋剤を有するシリコーンゴム材料を製造するための化合物を備え、化合物は触媒を含み、触媒は少なくとも２つの化合物を含み、これらの化合物は互いに異なり、互いに独立してカルボン酸金属塩から選択される。また、そのような化合物を製造するための方法、乳酸塩を基礎とする架橋剤を有するシリコーンゴム材料の架橋用の触媒の使用、シリコーンゴム材料の製造方法のための本発明に従った化合物の使用、特に、シーラント、粘着剤、コーティング剤としての使用を提供する。
【００２２】
特に、本発明は以下の手段を提供する。
【００２３】
（１）少なくとも１つのオルガノシリコーン化合物と、
乳酸塩基を有するシラン化合物を基礎とする少なくとも１つの架橋剤と、
触媒とを含み、
触媒は、互いに異なり、カルボン酸金属塩から互いに独立して選択される少なくとも２つの化合物を含む、組成物。
【００２４】
（２）カルボン酸金属塩は、ビスマス陽イオン、カルシウム陽イオン、カリウム陽イオン、リチウム陽イオン、マグネシウム陽イオン、ナトリウム陽イオン、亜鉛陽イオンから選択された少なくとも１つの金属陽イオンを含むことを特徴とする、上記（１）に記載された組成物。
【００２５】
（３）カルボン酸金属塩は、６〜１９の炭素原子を有する飽和カルボン酸と不飽和カルボン酸陰イオンから選択された１以上のカルボン酸陰イオンを含み、カルボン酸は直鎖または分岐鎖炭化水素鎖を含むことを特徴とする、上記（１）または（２）に記載された組成物。
【００２６】
（４）６〜１９の炭素原子を有する１以上の分岐鎖飽和カルボン酸の亜鉛塩であるカルボン酸金属塩と、６〜１９の炭素原子を有する１以上の分岐鎖飽和カルボン酸のビスマス塩、カルシウム塩、カリウム塩、リチウム塩、マグネシウム塩、ナトリウム塩、好ましくはビスマス塩、カルシウム塩、ナトリウム塩、から選択されたカルボン酸金属塩を含むことを特徴とする、上記（１）から（３）のいずれかに記載の組成物。
【００２７】
（５）カルボン酸亜鉛塩の亜鉛原子数とカルボン酸金属塩の金属原子数の比が２：１〜１：２であり、好ましくは１．３：１〜１：１．３であることを特徴とする、上記（１）から（４）に記載した化合物。
【００２８】
（６）ビスマス−トリス（２−エチルヘキサノアト）、カルシウム−ビス（２−エチルヘキサノアト）、ナトリウム（２−エチルヘキサノアト）、亜鉛−ビス（２−エチルヘキサノアト）から選択される少なくとも１つのカルボン酸金属塩を含むことを特徴とする、上記（１）から（５）に記載された化合物。
【００２９】
（７）カルシウム−ビス（２−エチルヘキサノアト）と亜鉛−ビス（２−エチルヘキサノアト）を含み、好ましくは数の比が１．３：１〜１：１．３であることを特徴とする、上記（１）から（６）に記載の組成物。
【００３０】
（８）ビスマス−トリス（２−エチルヘキサノアト）と亜鉛−ビス（２−エチルヘキサノアト）を含み、好ましくは数の比が１．３：１〜１：１．３であることを特徴とする、上記（１）から（７）に記載の組成物。
【００３１】
（９）ナトリウム（２−エチルヘキサノアト）と亜鉛−ビス（２−エチルヘキサノアト）を含み、好ましくは数の比が１．３：１〜１：１．３であることを特徴とする、上記（１）から（７）に記載の組成物。
【００３２】
（１０）塩基性化合物、特にトリエチルアミンから選択される助触媒をさらに含むことを特徴とする、上記（１）から（１１）に記載の組成物。
【００３３】
（１１）触媒と混合する前に、少なくとも１つのオルガノシリコーン化合物と、乳酸塩基を有するシラン化合物を基礎とする少なくとも１つの架橋剤が混合され互いに反応することを特徴とする、上記（１）から（１０）に記載の組成物。
【００３４】
（１２）触媒との混合の前に、酸性化合物、特に少なくとも１つの２−エチルヘキシルホスフェートから選択された第１の触媒が添加されて、少なくとも１つのオルガノシリコーン化合物と、少なくとも１つの乳酸塩基を有するシラン化合物を基礎とする架橋剤とが混合されて互いに反応し、そして得られた化合物は触媒と混合される前に塩基性化合物、好ましくはトリエチルアミンを加えることによって中和されることを特徴とする上記（１１）に記載の組成物。
【００３５】
（１３）オルガノシリコーン化合物は、α，ω−ジヒドロキシ末端ポリオルガノシロキサン化合物、特に、α，ω−ジヒドロキシ末端ポリアルキルシロキサンを含むことを特徴とする、上記（１）から（１２）に記載の組成物。
【００３６】
（１４）架橋剤は、メチル−トリス（エチルラクタート）シラン、エチル−トリス（エチルラクタート）シラン、フェニル−トリス（エチルラクタート）シラン、ビニル−トリス（エチルラクタート）シラン、テトラ−トリス（エチルラクタート）シランからなる群から選択された少なくとも１つの化合物含むことを特徴とする、上記（１）から（１３）に記載の組成物。
【００３７】
（１５）オルガノシリコーン化合物４０〜９０重量％、架橋剤１〜１５重量％、触媒０．１〜５．０重量％を含むことを特徴とする、上記（１）から（１４）に記載の組成物。
【００３８】
（１６）第１の工程で、それに続く工程で得られた組成物が触媒と混合される前に、好ましくは酸化合物、特に少なくとも１つの２−エチルヘキシルホスフェート、から選択される第１の触媒が添加されて、少なくとも１つのオルガノシリコーン化合物と乳酸塩基を有するシラン化合物を基礎とする少なくとも１つの架橋剤が混合され互いに反応し、触媒は、互いに異なり互いに独立してカルボン酸金属塩から選択される少なくとも２つの化合物を含むことを特徴とする、上記（１）から（１５）に記載の組成物の製造方法。
【００３９】
（１７）第１の触媒の添加によって、少なくとも１つのオルガノシリコーン化合物と、乳酸塩基を有するシラン化合物を基礎とする少なくとも１つの架橋剤との反応によって得られた組成物は、触媒の混合に先立って、塩基性化合物、より好ましくはトリエチルアミンの添加によって中和されることを特徴とする、上記（１６）に記載の方法。
【００４０】
（１８）上記（１）から（１５）に記載の組成物のシーラント、粘着剤、またはコーティング剤としての使用。
【００４１】
（１９）シリコーンゴム材料の架橋用、特に乳酸塩架橋剤を有するシリコーンゴム材料の架橋用の触媒の使用であって、触媒は、互いに異なり互いに独立してカルボン酸金属塩から選択される少なくとも２つの化合物を含む。
【００４２】
（２０）カルボン酸金属塩は、ビスマス陽イオン、カルシウム陽イオン、カリウム陽イオン、リチウム陽イオン、マグネシウム陽イオン、ナトリウム陽イオン、亜鉛陽イオンから選択される少なくとも１つの金属陽イオンを含むことを特徴とする、上記（１９）に記載の使用。
【００４３】
（２１）カルボン酸金属塩は、６〜１９の炭素原子を有する飽和カルボン酸と不飽和カルボン酸の陰イオンから選択される１以上のカルボン酸陰イオンを含み、カルボン酸は直鎖または分岐鎖炭化水素を含むことを特徴とする上記（１９）または（２０）に記載の使用。
【００４４】
（２２）触媒は、６〜１９の炭素原子を有する１以上の分岐鎖飽和カルボン酸の亜鉛塩であるカルボン酸金属塩と、６〜１９の炭素原子を有する１以上の分岐鎖飽和カルボン酸のビスマス塩、カルシウム塩、カリウム塩、リチウム塩、マグネシウム塩、ナトリウム塩から選択されるカルボン酸金属塩を含むことを特徴とする、上記（１９）から（２１）に記載の使用。
【００４５】
（２３）カルボン酸亜鉛塩中の亜鉛原子の数とカルボン酸金属塩中の金属原子の数の比が２：１〜１：２であり、好ましくは１．３：１〜１；１．３であることを特徴とする、上記（２２）に記載の使用。
【００４６】
（２４）触媒は、ビスマス−トリス（２−エチルヘキサノアト）、カルシウム−ビス（２−エチルヘキサノアト）、ナトリウム（２−エチルヘキサノアト）、亜鉛−ビス（２−エチルヘキサノアト）から選択される少なくとも１つのカルボン酸金属塩を含むことを特徴とする上記（１９）から（２３）に記載の使用。
【００４７】
（２５）触媒はカルシウム−ビス（２−エチルヘキサノアト）と亜鉛−ビス（２−エチルヘキサノアト）を含み、好ましくは数の比が１．３：１〜１：１．３であることを特徴とする、上記（１９）から（２４）に記載の使用。
【００４８】
（２６）触媒はビスマス−トリス（２−エチルヘキサノアト）と亜鉛−ビス（２−エチルヘキサノアト）を含み、好ましくは数の比が１．３：１〜１：１．３であることを特徴とする、上記（１９）から（２４）に記載の使用。
【００４９】
（２７）触媒はナトリウム（２−エチルヘキサノアト）と亜鉛−ビス（２−エチルヘキサノアト）を含み、好ましくは数の比が１．３：１〜１：１．３であることを特徴とする、上記（１９）から（２４）に記載の使用。
【００５０】
（２８）塩基性化合物、特にトリエチルアミンから選択される助触媒をさらに使用することを特徴とする、上記（１９）から（２７）に記載の使用。
【００５１】
（２９）触媒と混合する前に、少なくとも１つのオルガノシリコーン化合物と乳酸塩基を有するシラン化合物を基礎とする少なくとも１つの架橋剤が混合され互いに反応することを特徴とする、上記（１９）から（２８）に記載の使用。
【００５２】
（３０）第１の工程で、それに続く工程で得られた組成物が触媒と混合される前に、好ましくは酸化合物、特に少なくとも１つの２−エチルヘキシルホスフェート、から選択される第１の触媒が添加されて、少なくとも１つのオルガノシリコーン化合物と乳酸塩基を有するシラン化合物を基礎とする少なくとも１つの架橋剤が混合され互いに反応し、得られた組成物は塩基性化合物、好ましくはトリエチルアミンを加えることによって中和されることを特徴とする上記（２９）に記載の使用。
【００５３】
（３１）オルガノシリコーン化合物は、α，ω−ジヒドロキシ末端ポリオルガノシロキサン化合物であり、特に、α，ω−ジヒドロキシ末端ポリアルキルシロキサンであることを特徴とする、上記（１９）から（３０）に記載の使用。
【００５４】
（３２）架橋剤は、メチル−トリス（エチルラクタート）シラン、エチル−トリス（エチルラクタート）シラン、フェニル−トリス（エチルラクタート）シラン、ビニル−トリス（エチルラクタート）シラン、テトラ−トリス（エチルラクタート）シランからなる群から選択された少なくとも１つの化合物含むことを特徴とする、上記（１９）から（３１）に記載の使用。
【００５５】
（３３）オルガノシラン化合物４０〜９０重量％、架橋剤１〜１５重量％、触媒０．１〜５．０重量％が使用されることを特徴とする、上記（１９）から（３２）に記載の組成物。
【発明を実施するための形態】
【００５６】
本発明は、乳酸塩を基礎とする架橋剤を有するシリコーンゴム材料を製造するための組成物であって、組成物は少なくとも１つのオルガノシリコーン化合物と、乳酸塩基を有するシラン化合物を基礎とする少なくとも１つの架橋剤と、触媒とを含み、特に、乳酸塩を基礎とする架橋剤を有するシリコーンゴム材料の架橋用の触媒を含み、触媒は、互いに異なり、互いに独立してカルボン酸金属塩から選択される少なくとも２つの化合物を含む、組成物を提供する。本発明に従った組成物は、シリコーンゴム材料の製造のために使用され得、特に、乳酸塩を基礎とする架橋剤を有するシリコーンゴム材料の製造のために使用され得る。
【００５７】
本発明は、乳酸塩基を有するシラン化合物を基礎とする架橋剤（硬化剤）を有するシリコーンゴム材料を製造するための触媒を使用する。触媒は、本発明に従った組成物にあり、または、本発明に従った使用において使用され、互いに異なり、互いに独立してカルボン酸金属塩から選択される少なくとも２つの化合物を含む。
【００５８】
従って、本発明に従った組成物にあり、または、本発明に従った使用において使用される触媒は、互いに異なる少なくとも２つの化合物の混合物であり、好ましくは互いに異なる２〜２０の化合物の混合物であり、さらに好ましくは互いに異なる２〜８の化合物の混合物であり、特に好ましくは互いに異なる２または３の化合物の混合物である。
【００５９】
特に好ましくは、触媒は、互いに異なる厳密に２つのカルボン酸金属塩を含む。これらは好ましくは互いに異なる金属の２つの金属塩である。特に好ましくは、触媒中の２つのカルボン酸金属塩は、それぞれの金属原子比（数の比）が２：１〜１：２であり、さらに好ましくは１．３：１〜１：１．３であり、さらに好ましくは５：４〜４：５であり、さらに好ましくは１．２：１〜１：１．２であり、またさらに好ましくは１．１：１〜１：１．１であり、特に好ましくは約１：１である。
【００６０】
触媒中に含まれるそれぞれの化合物は、１以上のカルボン酸の金属塩である。
【００６１】
ここで、「カルボン酸」とは、有機化合物を意味し、好ましくは、１以上のカルボキシル基  −ＣＯＯＨを有する炭化水素を意味する。好ましくは、カルボン酸は、１〜２５の炭素原子、好ましくは５〜２０の炭素原子、特に好ましくは６〜１９の炭素原子を含む炭化水素を含む。カルボン酸の炭化水素は、飽和、不飽和または芳香族であり得、一致する結合を含み得る。カルボン酸の炭化水素は、直鎖または分岐鎖炭化水素を含み得、および／または環状炭化水素および／または適切なヘテロ原子を含み得る。好ましくは、カルボン酸は、直鎖または分岐炭化水素鎖を含む飽和炭化水素（アルカン）を含む。カルボン酸は、１以上のカルボキシル基を含み得、好ましくは１，２または３のカルボキシル基を含み得る。特に好ましいものは、モノカルボン酸とジカルボン酸である。特に好ましいジカルボン酸において、２つのカルボキシル基は隣接する炭素原子に結合する。特に好ましいのはモノカルボン酸である。
【００６２】
特に好ましいカルボン酸は、２−エチルヘキサン酸である。
【００６３】
本発明の意味において、「カルボン酸金属塩」とは、少なくとも１つのカルボン酸陰イオンと少なくとも１つの金属陽イオンを含む化合物である。そこでは、カルボン酸陰イオンは、カルボキシル基の脱プロトンによって形成される陰イオンを意味する。従って、本発明の意味において、カルボン酸は有機化合物であり、好ましくは、上述の炭素酸から形成され得る少なくとも１つのカルボキシル基  −ＣＯＯＨを有する炭化水素である。金属陽イオンはそれぞれの金属の陽イオンであり、好ましくは、酸化状態にあり、適用の状態において安定である。従って、金属陽イオンは、好ましくは、＋１〜＋４の正の電荷を有し、さらに好ましくは＋１、＋２または＋３の電荷を有する。一価の金属陽イオン（＋１の電荷）の例は、Ｋ＋、Ｌｉ＋、Ｎａ＋である。二価の金属陽イオン（＋２の電荷）の例は、Ｃａ２＋、Ｍｇ２＋、Ｚｎ２＋であり、三価の金属陽イオン（＋３の電荷）の例は、Ｂｉ３＋である。電気的に中性の化合物に対しては、金属陽イオンの電荷は、金属イオンの電荷に応じて、金属塩中の金属イオンとカルボン酸基の比が１：１、１：２、１：３等、最大の電荷になるまで、一価の負の電荷を有するカルボン酸基によって補償される。例えば、モノカルボン酸の場合、金属とカルボン酸の比は、一価の金属陽イオンについては１：１、二価の金属陽イオンについては１：２、三価の金属陽イオンについては１：３、等となる。カルボン酸基を２つ有するジカルボン酸の場合、例えば、二価の金属陽イオンについては金属とジカルボン酸の比は１：１となるように、比は調整される。金属塩は単一の、または、互いに異なるカルボン酸のカルボン酸陰イオンを含み得る。例えば、二価の金属陽イオンの金属塩は、第１のカルボン酸（Ｒ１−ＣＯＯ−）カルボン酸陰イオンと、それとは異なる第２のカルボン酸（Ｒ２−ＣＯＯ−）カルボン酸陰イオンとを含み得る。金属陽イオンとカルボン酸陰イオンは別として、カルボン酸の金属塩はまた、例えば、ハロゲン陰イオン、硝酸塩陰イオン、硫酸塩陰イオンといったカルボン酸陰イオンではない他の陰イオンや、例えば溶媒分子等の中性の分子のような、他の要素を含み得る。
【００６４】
本発明に従えば、本発明に従って組成物で構成される、または、本発明に従った使用で使用されるシリコーンゴム材料の架橋用の触媒は、互いに異なり、カルボン酸金属塩から互いに独立して選択される少なくとも２つの化合物を含む。従って、本発明に従った触媒は、互いに異なる２つ以上の金属の塩、および／または、互いに異なる２つ以上のカルボン酸を含み得る。好ましくは、触媒は、互いに異なる少なくとも２つの金属の塩を含む。
【００６５】
特に好ましくは、触媒中のカルボン酸金属塩は、それぞれの金属原子の比（数の比）が２：１〜１：２、さらに好ましくは１．３：１〜１：１．３、さらに好ましくは５：４〜４：５、さらに好ましくは１．２：１〜１：１．２、またさらに好ましくは１．１：１〜１：１．１であり、特に好ましくは約１：１である。
【００６６】
驚くべきことに、先に与えた定義に従った少なくとも２つの互いに異なるカルボン酸金属塩を含むシリコーンゴム材料の架橋剤用触媒は、シリコーンゴム材料、特に乳酸塩を基礎とする架橋剤を使用するＲＴＶ-１シリコーンゴム材料の製品において特に有利な製品特性を示すことが見出された。従って、この触媒は、乳酸塩を基礎とする架橋剤を有するＲＴＶ−１シリコーンゴム材料の製造を有利にし、多数の、特に毒性学上の、乳酸塩架橋剤の長所を利用可能にする。
【００６７】
さらに、驚くべきことに、この触媒を用いて製造されたシーリング組成物は、既知のスズ含有触媒と比較して、有利に速いスキン形成時間とタックフリー時間を示す。その上、これらは完全硬化後、より高い透明性を示す。毒性学上の利点ば別にして、乳酸塩架橋剤の快適な匂いは、本発明に従った組成物のもうひとつの一般的な長所である。
【００６８】
特に好ましくは、本発明に従った組成物に含まれ、また、本発明に従った使用において使用される触媒は、ビスマス陽イオン、カルシウム陽イオン、カリウム陽イオン、リチウム陽イオン、マグネシウム陽イオン、ナトリウム陽イオン、亜鉛陽イオンから選択された少なくとも１つの金属陽イオンのカルボン酸金属塩を含む。
【００６９】
Ｂｉ，Ｃａ，Ｋ，Ｌｉ，Ｍｇ，Ｎａおよび／またはＺｎの陽イオンを含む混合物は、特に有利な特性を有する製品を提供することが見出された。さらに好ましいものはＢｉ，Ｃａ，Ｋ，Ｌｉ，Ｍｇ，Ｎａおよび／またはＺｎの陽イオンを含むカルボン酸塩の混合物であり、さらに好ましい混合物は、Ｂｉ，Ｃａ，Ｎａおよび／またはＺｎの陽イオンを含み、特に好ましい混合物は、Ｂｉ，Ｃａおよび／またはＺｎの陽イオンを含む。
【００７０】
特に好ましくは、本発明に従った組成物に含まれ、また、本発明に従った使用において使用される触媒は、カルボン酸金属塩は、６〜１９の炭素原子を有する飽和カルボン酸と不飽和カルボン酸陰イオンから選択された１以上のカルボン酸陰イオンを含み、カルボン酸は好ましくは直鎖または分岐鎖炭化水素鎖を含む。
【００７１】
特に有利な特性を有する製品が提供され得ることが見出された。さらに好ましいものは、６〜１０の炭素原子を有する飽和カルボン酸陰イオンと不飽和カルボン酸陰イオンである。さらに好ましいものは分岐鎖炭化水素を有する飽和カルボン酸の陰イオンである。特に好ましいものは、８の炭素原子を有する分岐鎖炭化水素を有するカルボン酸の陰イオンである。カルボン酸の特に好ましい実施形態は、２−エチルヘキサン酸である。
【００７２】
特に好ましくは、本発明に従った組成物に含まれ、また、本発明に従った使用において使用される触媒は、６〜１９の炭素原子を有する１以上の分岐鎖飽和カルボン酸の亜鉛塩であるカルボン酸金属塩と、６〜１９の炭素原子を有する１以上の分岐鎖カルボン酸のビスマス塩、カルシウム塩、カリウム塩、リチウム塩、マグネシウム塩、ナトリウム塩から選択されたカルボン酸金属塩を含む。
【００７３】
特に好ましくは、本発明に従った組成物に含まれ、また、本発明に従った使用において使用される触媒中のカルボン酸金属塩は、カルボン酸亜鉛塩の亜鉛原子数とカルボン酸金属塩の金属原子数の比（数比率）が２：１〜１：２であり、さらに好ましくは１．３：１〜１：１．３であり、さらに好ましくは５：４〜４：５、さらに好ましくは１．２：１〜１：１．２、またさらに好ましくは１．１：１〜１：１．１であり、特に好ましくは約１：１である。
【００７４】
特に有利な特性を有する製品が提供され得ることが見出された。
【００７５】
特に好ましくは、本発明に従った組成物に含まれ、また、本発明に従った使用において使用される触媒は、６〜１９の炭素原子を有する１以上の分岐鎖飽和カルボン酸の亜鉛塩であるカルボン酸金属塩と、６〜１９の炭素原子を有する１以上の分岐鎖カルボン酸のビスマス塩とカルシウム塩から選択されたカルボン酸金属塩を含む。特に好ましくは、触媒は、６〜１０の炭素原子を有する分岐鎖飽和カルボン酸の亜鉛塩と、６〜１０の炭素原子を有する分岐鎖カルボン酸のビスマス塩および／または６〜１０の炭素原子を有する分岐鎖飽和カルボン酸のカルシウム塩の組み合わせを含む。特に好ましい実施形態においては、触媒は、８の炭素原子を有する分岐鎖飽和カルボン酸の亜鉛塩であるカルボン酸金属塩と、８の炭素原子を有する分岐鎖カルボン酸のビスマス塩および／または８の炭素原子を有する分岐鎖飽和カルボン酸のカルシウム塩の組み合わせを含む。
【００７６】
特に好ましくは、本発明に従った組成物に含まれ、また、本発明に従った使用において使用される触媒は、亜鉛−ビス（２−エチルヘキサノアト）を含む。
【００７７】
亜鉛−ビス（２−エチルヘキサノアト）を用いることによって特に有利な特性を有する製品が提供され得ることが見出された。
【００７８】
特に好ましくは、本発明に従った組成物に含まれ、また、本発明に従った使用において使用される触媒は、ビスマス−トリス（２−エチルヘキサノアト）を含む。
【００７９】
ビスマス−トリス（２−エチルヘキサノアト）を用いることによって特に有利な特性を有する製品が提供され得ることが見出された。
【００８０】
特に好ましくは、本発明に従った組成物に含まれ、また、本発明に従った使用において使用される触媒は、カルシウム−ビス（２−エチルヘキサノアト）を含む。
【００８１】
カルシウム−ビス（２−エチルヘキサノアト）を用いることによって特に有利な特性を有する製品が提供され得ることが見出された。
【００８２】
特に好ましくは、本発明に従った組成物に含まれ、また、本発明に従った使用において使用される触媒は、ナトリウム（２−エチルヘキサノアト）を含む。
【００８３】
ナトリウム（２−エチルヘキサノアト）を用いることによって特に有利な特性を有する製品が提供され得ることが見出された。
【００８４】
特に好ましくは、本発明に従った組成物に含まれ、また、本発明に従った使用において使用される触媒は、カルシウム−ビス（２−エチルヘキサノアト）と亜鉛−ビス（２−エチルヘキサノアト）の混合物を含む。
【００８５】
特に好ましくは、触媒は、カルシウム−ビス（２−エチルヘキサノアト）と亜鉛−ビス（２−エチルヘキサノアト）の混合物を、１：１〜１：３（重量比）の比で含み、さらに好ましくは、１：１〜１：２の比で含み、特に好ましくは４：５で含む。
【００８６】
これは、カルシウム−ビス（２−エチルヘキサノアト）と亜鉛−ビス（２−エチルヘキサノアト）の数の比では、約１．１：１〜１：２．８、好ましくは約１．１：１〜１：１．９、特に好ましくは１：１．２に対応する。
【００８７】
１：１〜１：３（重量比）の比のカルシウム−ビス（２−エチルヘキサノアト）と亜鉛−ビス（２−エチルヘキサノアト）の混合物を含む触媒を用いることによって特に有利な特性を有する製品が提供され得ることが見出された。
【００８８】
約１：１、好ましくは約１．３：１〜１：１．３（数の比）の比のカルシウム−ビス（２−エチルヘキサノアト）と亜鉛−ビス（２−エチルヘキサノアト）の混合物を含む触媒を用いることによって特に有利な特性を有する製品が提供され得ることが見出された。
【００８９】
特に好ましくは、本発明に従った組成物に含まれ、また、本発明に従った使用において使用される触媒は、ナトリウム（２−エチルヘキサノアト）と亜鉛−ビス（２−エチルヘキサノアト）の混合物を含む。
【００９０】
特に好ましくは、触媒は、ナトリウム（２−エチルヘキサノアト）と亜鉛−ビス（２−エチルヘキサノアト）の混合物を、４：１〜１：４（重量比）の比で含み、さらに好ましくは、１：１〜１：３の比で含み、特に好ましくは１：２で含む。
【００９１】
これは、ナトリウム（２−エチルヘキサノアト）と亜鉛−ビス（２−エチルヘキサノアト）の数の比では、約８．５：１〜１：１．９、好ましくは約２．１：１〜１：１．４、特に好ましくは１：１．１に対応する。
【００９２】
４：１〜１：４（重量比）の比のナトリウム（２−エチルヘキサノアト）と亜鉛−ビス（２−エチルヘキサノアト）の混合物を含む触媒を用いることによって特に有利な特性を有する製品が提供され得ることが見出された。
【００９３】
約１：１、好ましくは約１．３：１〜１：１．３（数の比）の比のナトリウム（２−エチルヘキサノアト）と亜鉛−ビス（２−エチルヘキサノアト）の混合物を含む触媒を用いることによって特に有利な特性を有する製品が提供され得ることが見出された。
【００９４】
特に好ましくは、本発明に従った組成物に含まれ、また、本発明に従った使用において使用される触媒は、ビスマス−トリス（２−エチルヘキサノアト）と亜鉛−ビス（２−エチルヘキサノアト）の混合物を含む。
【００９５】
特に好ましくは、触媒は、ビスマス−トリス（２−エチルヘキサノアト）と亜鉛−ビス（２−エチルヘキサノアト）の混合物を、４：１〜１：４（重量比）の比で含み、さらに好ましくは、２：１〜３：２の比で含み、特に好ましくは７：３で含む。
【００９６】
これは、ビスマス−トリス（２−エチルヘキサノアト）と亜鉛−ビス（２−エチルヘキサノアト）の数の比では、約２．２：１〜１：７．３、好ましくは約１．１：１〜１：１．７、特に好ましくは１．３：１に対応する。
【００９７】
４：１〜１：４（重量比）の比のビスマス−トリス（２−エチルヘキサノアト）と亜鉛−ビス（２−エチルヘキサノアト）の混合物を含む触媒を用いることによって特に有利な特性を有する製品が提供され得ることが見出された。
【００９８】
約１：１、好ましくは約１．３：１〜１：１．３（数の比）の比のビスマス−トリス（２−エチルヘキサノアト）と亜鉛−ビス（２−エチルヘキサノアト）の混合物を含む触媒を用いることによって特に有利な特性を有する製品が提供され得ることが見出された。
【００９９】
特に好ましくは、本発明に従った組成物は、さらに助触媒を含む。さらに好ましくは、助触媒は塩基性化合物である。特に好ましくは、塩基性助触媒は有機３級アミン化合物であり、例えば、トリアルキルアミンであり、アルキル基は互いに独立して１〜８の炭素原子を含む。特に好ましい塩基性助触媒の例としては、トリエチルアミン、トリオクチルアミン等である。また、好ましい塩基性助触媒は、例えば商品名Ａｍｂｅｒｌｉｔｅ  ＩＲＡ−６７で入手可能な第３級アミン基を有する塩基性イオン交換樹脂である。
【０１００】
塩基性化合物から選択される助触媒、特にトリエチルアミンを用いることによって、特に有利な特性を有する製品が提供され得ることが見出された。
【０１０１】
本発明に従った組成物に含まれ、また、本発明に従った使用において使用される触媒に対する助触媒の比は、好ましくは１：２〜５：１（重量比）であり、さらに好ましくは２：３〜３：１であり、特に好ましくは１：１〜２：１である。
【０１０２】
好ましくは、本発明に従った組成物は、全シーラント組成物に対してトリエチルアミンの塩基性助触媒を０．１〜０．５％含み、さらに好ましくは０．１〜０．４％含み、特に好ましくは０．２〜０．３％含む。イオン交換樹脂が塩基性助触媒として使用される場合には、本発明に従った組成物は、好ましくは、全シーラント組成物に対して０．２〜１．０％のイオン交換樹脂を含み、さらに好ましくは０．３〜０．８％含み特に好ましくは０．４〜０．６％含む。
【０１０３】
本発明に従った組成物は、乳酸塩基を有するシラン化合物、特に、エチルラクタートを有するシラン化合物を基礎とする少なくとも１つの架橋剤を含む。
【０１０４】
架橋剤（硬化剤）は、一般式Ｓｉ（Ｒ１）ｎＲ２ｍ  （Ｉ）を有する化合物を含み；ここでｎ＝１，２，３または４、そしてｍ＝（４−ｎ）であり、基Ｒ１は一般式―ＯＣＨ（ＣＨ３）ＣＯＯＲの２−ヒドロキシプロピオン酸アルキルエステル基であり、基Ｒは任意に置換された、炭素原子１ないし４を有する直鎖または分岐鎖アルキル基であり、そして基Ｒ２は、任意に置換された、少なくとも炭素原子１個を有する直鎖または分岐鎖アルキル基、任意に置換された、少なくとも炭素原子２個を有する直鎖または分岐鎖アルケニルまたはアルキニル基、任意に置換された、少なくとも炭素原子３個を有するシクロアルキル基、および任意に置換された、少なくとも炭素原子５個を有するアリール基よりなる群から選ばれる。
【０１０５】
一般式（Ｉ）において、基Ｒ１を特定するために使用される用語、すなわち２−ヒドロキシプロピオン酸アルキルエステル基は、対応するシラノール化合物と、２−ヒドロプロピオン酸アルキルエステル（乳酸アルキルエステルまたは乳酸アルキルとも称される）分子との縮合によって得られた、シラン化合物の中心ケイ素原子と、アルコールでエステル化された２−ヒドロキシプロピオン酸の遊離ヒドロキシ基の酸素原子の間にＳｉ−Ｏ結合を形成したシラン化合物（Ｉ）の置換分を意味する。２−ヒドロキシプロピオン酸アルキルエステル基Ｒ１は、一般式−ＯＣＨ（ＣＨ３）ＣＯＯＲによって表され、ここで基Ｒは、１ないし４の炭素原子を有する、任意に置換された直鎖または分岐鎖アルキル基である。アルキル基Ｒは、好ましくはメチル、エチル、プロピル、またはイソプロピル基であり、エチル基が特に好ましい。従って基Ｒ１は、好ましくは２−ヒドロキシプロピオン酸メチルエステル基、２−ヒドロキシプロピオン酸エチルエステル基、２−ヒドロキシプロピオン酸プロピルエステル基、または２−ヒドロキシプロピオン酸イソプロピルエステル基である。特に好ましいのはＲ１基が２−ヒドロキシプロピオン酸エチルエステル基（乳酸エチル基）である基である。
【０１０６】
本発明の意味内で、用語“２−ヒドロキシプロピオン酸アルキルエステル基”は、対応する２−ヒドロキシプロピオン酸アルキルエステルのすべての立体異性体（エナンチオマー）、特に純粋な（Ｒ）−２−ヒドロキシプロピオン酸アルキルエステルおよび純粋な（Ｓ）−２−ヒドロキシプロピオン酸アルキルエステルと、それにラセミ混合物を含むそれらの混合物を含む。本発明の意味内で、例えば２−ヒドロキシプロピオン酸エチルエステルは、純粋な（Ｒ）−２−ヒドロキシプロピオン酸エチルエステル（Ｄ−（＋）−乳酸エチルエステル）、純粋な（Ｓ）−２−ヒドロキシプロピオン酸エチルエステル（Ｌ−（−）−乳酸エチルエステル）、それにラセミ混合物を含むそれらの混合物を含む。
【０１０７】
一般式（Ｉ）において、用語“アルキル基”は飽和脂肪族炭化水素化合物に基く分子基Ｒ２を指す。“少なくとも１炭素原子を有するアルキル基”は、好ましくは１ないし８個の炭素原子、さらに好ましくは１ないし６個の炭素原子、もっと好ましくは１ないし４個の炭素原子を含む炭化水素化合物を含むことが好ましい。用語“アルキル基”は、直鎖および分岐鎖炭化水素鎖を含む。炭化水素鎖の分岐および／または置換は立体異性体の生成を許容し、用語“アルキル基”はラセミ混合物ばかりでなく、純粋なエナンチオマーおよび／またはジアステレオマーと、それらの混合物を含む。“アルキル基”はＳｉ−Ｃ結合を介して一般式（Ｉ）のシラン化合物へ結合しているのが好ましい。用語“少なくとも１個の炭素原子を有するアルキル基”は、特にメチル基、エチル基、プロピル基、イソプロピル基、ブチル基、イソブチル基、ｓｅｃ−ブチル基およびｔ−ブチル基を含む。特に好ましくは、アルキル基はメチル基またはエチル基である。
【０１０８】
用語“アルケニル基”および“アルキニル基”は、各自部分不飽和炭化水素化合物に基く分子基Ｒ２を含む。アルケニル基の場合、それは少なくとも１個のＣ−Ｃ二重結合を含み、アルキニル基の場合は少なくとも１個のＣ−Ｃ三重結合を含む。“少なくとも２個の炭素原子を有するアルケニル基”および“少なくとも２個の炭素原子を有するアルキニル基”は、２ないし８個の炭素原子、もっと好ましくは２ないし６個の炭素原子、そして特に２ないし４個の炭素原子を有することが好ましい。用語“アルケニル基”および“アルキニル基”は、直鎖および分岐鎖炭化水素鎖を含む。炭化水素鎖の分岐および／または置換は立体異性体の形成を許容し、用語“アルケニル基”および“アルキニル基”はラセミ混合物ばかりでなく、純粋なエナンチオマーおよび／またはジアステレオマーと、それらの混合物を含む。“アルケニル基”および“アルキニル基”は、一般式（Ｉ）のシラン化合物へＳｉ−Ｃ結合を介して結合していることが好ましい。少なくとも２個の炭素原子を有するアルケニル基は、特にアリル基およびビニル基を含み、アルキニル基は特にエチニル基（アセチレニル基）を含む。好ましくは、一般式（Ｉ）の架橋剤中のＲ２はアリル基またはビニル基であり、特に好ましくはビニル基である。
【０１０９】
用語“シクロアルキル基”は、環状の飽和または部分不飽和脂肪族炭化水素化合物に基く分子基Ｒ２を意味する。“少なくとも３個の炭素原子を有するシクロアルキル基”は、３ないし８個の炭素原子、さらに好ましくは３ないし６個の炭素原子、さらに好ましくは４ないし６個の炭素原子、そして特に５または６個の炭素原子を含むのが好ましい。用語“シクロアルキル基”は、直鎖および／または分岐鎖炭化水素鎖で置換された炭化水素環を含む。炭化水素環の分岐および／または置換は立体異性体の生成を許容し、用語“シクロアルキル基”はラセミ混合物ばかりでなく、純粋なエナンチオマーおよび／またはジアステレオマー、それにそれらの混合物を含む。シクロアルキル基はＳｉ−Ｃ結合を介して一般式（Ｉ）のシラン化合物へ結合していることが好ましい。用語“少なくとも３個の炭素原子を有するシクロアルキル基”は、特にシクロプロピル基、シクロブチル基、シクロペンチル基、およびシクロヘキシル基を含む。
【０１１０】
一般式（Ｉ）において、用語“アリール基”は、芳香族炭化水素化合物に基く分子基Ｒ２を意味する。“少なくとも５個の炭素原子を有するアリール基”は、５ないし１２個の炭素原子、さらに好ましくは６ないし１２個の炭素原子、そして特に６ないし１０個の炭素原子を持っている芳香族炭化水素化合物を含むことが好ましい。一般式（Ｉ）の化合物において、６個の炭素原子を有するアリール基は、上で定義した未置換フェニル基を含むことができる。用語“アリール基”は、１個、２個、３個またはそれ以上の環を含み、Ｃ−Ｃ単結合により、または共通の辺によって相互接続された芳香族環系を含む。“アリール基”はＳｉ−Ｃ結合によって一般式（Ｉ）のシラン化合物へ結合していることが好ましい。特に用語“少なくとも５個の炭素原子を有するアリール基”は、シクロペンタジエニル基、フェニル基、ナフチル基、およびジフェニル基を含む。特に好ましくは、アリール基はフェニル基である。
【０１１１】
本発明に従えば、組成物は、少なくとも１つの一般式（Ｉ）の架橋剤、好ましくは１〜５の一般式（Ｉ）の架橋剤、さらに好ましくは１〜３の一般式（Ｉ）の架橋剤、特に好ましくは２の一般式（Ｉ）の架橋剤を含む。
【０１１２】
他の特に好ましい具体例において、本発明に従った架橋剤は、加えてメチル−トリス（エチルラクタート）シラン、エチル−トリス（エチルラクタート）シラン、フェニル−トリス（エチルラクタート）シラン、ビニル−トリス（エチルラクタート）およびテトラ（エチルラクタート）シランから選ばれた一般式（Ｉ）の少なくとも一つの化合物を含む。
【０１１３】
本発明に従った組成物は、本発明の硬化剤およびそして少なくとも一つのオルガノシリコーン化合物、好ましくは２，３またはそれ以上の異なるオルガノシリコーン化合物を含む。この組成物に含まれているオルガノシリコーン化合物は、オリゴマーまたはポリマー化合物である。ポリマーのオルガノシリコーン化合物は、好ましくは２官能ポリオルガノシロキサン化合物であり、特に好ましいのはα，ω−ジヒドロキシ末端ポリオルガノシロキサンである。特に好ましい化合物は、α，ω−ジヒドロキシル末端ポリジオルガノシロキサン、特にα，ω−ジヒドロキシル末端ポリジアルキルシロキサン、α，ω−ジヒドロキシ末端ポリジアルケニルシロキサン、またはα，ω−ジヒドロキシル末端ポリジアリールシロキサンである。ホモポリマーα，ω−ジヒドロキシル末端ポリジオルガノシロキサンとほかに、異なる有機置換基を有するヘテロポリマーα，ω−ジヒドロキシル末端ポリジオルガノシロキサンを使用することができる。これらは、ケイ素原子上に類似の置換基を有するモノマーの共重合体と、ケイ素原子上に異なる有機置換基、例えば混合アルキル、アルケニルおよび／またはアリール置換基を有するモノマーの共重合体を含む。好ましい有機置換基は１ないし８個の炭素原子を含む直鎖および分岐鎖アルキル基、特にメチル、エチル、ｎ−プロピルおよびイソプロピル、ｎ−ブチル、ｓｅｃ−ブチルおよびｔ−ブチル、ビニルおよびフェニルを含む。個々の有機置換基内の炭素へ結合した水素原子の各自またはすべては、ハロゲン原子、またはヒドロキシルおよび／またはアミノ基のような官能基で置換されても良い。このように部分的フッ素化またはペルフルオロ化された有機置換基を有するα，ω−ジヒドロキシ末端ポリジオルガノシロキサン、またはヒドロキシルおよび／またはアミノ基で置換された有機置換基を有するα，ω−ジヒドロキシル末端ポリジオルガノシロキサンを使用することができる。
【０１１４】
オルガノシリコーン化合物の特に好ましい例は、α，ω−ジヒドロキシ末端ポリジメチルシロキサン、またはα，ω−ジヒドロキシ末端ポリジエチルシロキサン、またはα，ω−ジヒドロキシル末端ジビニルシロキサンのようなα，ω−ジヒドロキシ末端ポリジアルキルシロキサンと、そしてα，ω−ジヒドロキシ末端ポリジフェニルシロキサンのようなα，ω−ジヒドロキシ末端ポリジアリールシロキサンである。５，０００ないし１２０，０００ｃｓｔ（２５℃）の動的粘度を有するものが好ましく、特に好ましいのは４０，０００ないし９０，０００ｃｓｔを有するものである。
【０１１５】
異なる粘度を有するポリジオルガノシロキサンの混合物も使用することができる。
【０１１６】
触媒の使用に先立って、先の第１の工程で、少なくとも１つのオルガノシリコーン組成物と少なくとも１つの乳酸塩基を有するシラン化合物を基礎とする架橋剤が混合され互いに反応することによって、特に有利な特性を有するシリコーンゴム材料が提供され得ることが見出された。
【０１１７】
同様に、好ましい組成物は、第１の工程において、その後の工程で触媒とともに得られる組成物が混合される前に、少なくとも１つのオルガノシリコーン組成物と乳酸塩基を有するシラン化合物を基礎とする少なくとも１つの架橋剤が混合され互いに反応する発明に従った方法で製造され、触媒は、互いに異なり、互いに独立してカルボン酸金属塩から選択される少なくとも２つの化合物を含む。
【０１１８】
好ましくは、第１の工程において、少なくとも１つのオルガノシリコーンと、乳酸塩基を有するシラン化合物を基礎とする少なくとも１つの架橋剤は、第１の触媒を添加して反応されられる。好ましくは、第１の触媒は、酸性化合物から選択される。酸性化合物は、第１の反応工程（本願の文脈においては予備反応またはプレ重合反応ともいう。）に適する触媒であり、例えば、有機酸または有機基を有する無機酸のエステルである。好ましい酸性化合物は、好ましくはアルキルアルコールを有するリン酸の酸性エステルであり、アルキル基は好ましくは１〜８の炭素原子を含む。特に好ましくは、予備反応のための酸性触媒は、少なくとも１つの２−エチルヘキシルホスフェートである。２−エチルヘキシルホスフェートは、２−エチルヘキサノールとオルトリン酸のエステルである。好ましいエステルは、モノエステル、ジエステルと、これらの混合物である。さらに特に好ましくは、予備反応のための酸性触媒は、例えばリン酸モノ（２−エチルヘキシル）とリン酸ジ（２−エチルヘキシル）のような、モノエステルとジエステルの混合物であり、これらの比は１：１である。
【０１１９】
好ましくは、予備反応には全シーラント組成物に対して０．０２〜０．１０％、さらに好ましくは０．０３〜０．０８％、特に好ましくは０．０５〜０，０７％の酸性触媒が使用される。
【０１２０】
好ましくは、予備反応は空気と湿気（水）を除外して実施される。特に好ましくは、それぞれの要素は、空気と水が除外された状態、例えば、アルゴンのような保護ガスの下で互いに混合される。予備反応はまた、減圧（真空）下で実施され得、好ましくは減圧された圧力は５０〜２００ｍｂａｒ。好ましくは、予備反応は、室温から６０℃で実施される。好ましくは、混合物は予備反応の間、例えば撹拌によって動かされる。予備反応は好ましくは１０分間以上実施される。
【０１２１】
少なくとも１つのオルガノシリコーン化合物と乳酸塩基を有するシラン化合物を基礎とする少なくとも１つの架橋剤との間の予備反応は、ヘテロダイマーまたはヘテロオリゴマーを形成し、混合物の粘性をわずかに変化させる。しかしながら、予備反応の生成物として得られる組成物はまだ液体でありさらに作業され得る。
【０１２２】
好ましくは、予備反応は中和によって停止される。中和は好ましくは塩基性化合物を添加することによってされる。特に好ましくは、塩基性化合物は、塩基性助触媒としても作用するが、過剰に添加される。特に好ましくは、トリエチルアミンが中和に用いられる。
【０１２３】
特に好ましい実施形態では、少なくとも１つのオルガノシリコーン化合物と乳酸塩基を有するシラン化合物を基礎とする少なくとも１つの架橋剤は混同され、酸性化合物、好ましくは少なくとも１つの２−エチルヘキシルホスフェートから選択される予備反応のための酸性触媒の添加によって互いに反応し、得られた化合物は次に、互いに異なり互いに独立してカルボン酸金属塩から選択される少なくとも２つの化合物を含む触媒との混合に先立って、塩基性化合物、好ましくはトリエチルアミンを添加することによって中和される。
【０１２４】
組成物は、水分の排除下１２ケ月以上の間貯蔵することができること、および水または空気中の影響のもとで室温で重合することが判明した。
【０１２５】
水または空気中の湿気の存在によって、本発明の組成物の架橋剤（硬化剤）とオルガノシリコーン化合物は重合または縮合し、Ｓｉ−Ｏ−Ｓｉ結合が形成されることによって、シリコーンゴム材料が形成される。さらに、本発明による組成物は、シリコーンゴム材料を生成するように硬化する時、２−ヒドロキシプロピオン酸エチルエステル（乳酸エチル）のような２−ヒドロキシプロピオン酸アルキルエステルのみを放出することが有利である。これはオキシム化合物、例えばブタン−２−オンオキシムと対照的に、健康に有害でなく、金属、モルタルまたは石材（大理石等）に対して腐食性または攻撃性でなく、そしてその香気が快適である。本発明に従った組成物を用いて製造された重合物は、斑点および汚点を含まず、そして透明である。従って、本発明はシーラント、接着剤またはコーティング材料として使用され得る。
【０１２６】
本発明に従った組成物は、オルガノシリコーン化合物４０ないし９０重量％と、硬化剤１ないし１５重量％と、触媒０．１ないし５．０重量％と、さらに好ましくは触媒０．５ないし２．０重量％を含み、残りは慣用の添加剤であることが特に好ましい。
【０１２７】
もし望むならば、本発明に従った組成物は他の慣用の添加剤を含むことができる。通常の添加剤は、充填剤、着色料、軟化剤、チキソトロピック剤、湿潤剤、接着力増強剤、触媒等である。
【０１２８】
充填剤として、補強および非補強充填剤を使用することができる。好ましい充填剤は無機充填剤、例えば高度に分散性の熱分解または沈澱ケイ酸、カーボンブラック、石英粉、チョーク、または酸化チタンのような金属塩もしくは金属酸化物である。特に好ましい充填剤は、高度に分散性のケイ酸、例えばＣａｂｏｔ社からＣａｂｏｓｉｌ  １５０の名称で入手し得る市販の充填剤である。高度に分散性のケイ酸、特に熱分解ケイ酸はチキソトロピック剤としても有用である。金属酸化物、例えば酸化チタンは白色着色料としても有用である。さらに、充填剤は公知の方法で表面改質することができ、例えばシランで疎水化したケイ酸を使用することができる。
【０１２９】
好適な軟化剤は、官能性末端基を持たないそれ自体公知のポリジオルガノシロキサンであり、それ故それらは本発明に従って使用されるオルガノシリコーン化合物と異なる。好ましくは約５０から約５０００の分子量を有し、揮発性が低く、そしてポリシロキサンと混和性の液体脂肪族または芳香族炭化水素も使用することができる。軟化剤の好ましい動的粘度は、１ないし５，０００ｃＳｔ（２５℃において）、特に５０ないし５００ｃＳｔ、特に好ましくは９０ないし２００ｃＳｔである。軟化剤の例は、９０ないし１２０ｃＳｔ、特に１００ｃＳｔの粘度を持つポリジメチルシロキサンと、パラフィン油と、ポリ置換アルキルベンゼンである。
【０１３０】
使用される好ましい湿潤剤および／または接着力増強剤（カップリング剤）は、反応性アミノ基、カルボキシル基、エポキシ基またはチオール基を持っているオルガノシランのような、本発明に従って使用されるオルガノシリコーン化合物とは異なる、ケイ素原子上に反応基を持っている有機置換基を有するそれ自体既知のシラン化合物である。好ましい例の中に、アミノエチル−アミノプロピル−トリアルコキシシランのようなアミノシランである。好ましい接着力増強剤（カップリング剤）の具体例は、３−アミノプロピルトリエトキシシラン、３−アミノプロピルトリメトキシシラン、アミノエチル−アミノプロピルトリメトキシシラン、ブチルアミノプロピルトリエトキシシラン、プロピルアミノプロピルトリエトキシシラン、プロピルアミノプロピルトリメトキシシラン、Ｎ−シクロヘキシル−３−アミノプロピルトリメトキシシラン、Ｎ−シクロヘキシル−３−アミノプロピルトリエトキシシラン、およびＤｅｇｕｓｓａ社からＤｙｎａｓｙｌａｎ  １１４６として商業的に入手し得るコオリゴマージアミノ／アルキル官能性シランである。他のオリゴマーのカップリング剤も使用され得る。
【０１３１】
別の局面では、本発明は、本発明の組成物のシーラント、接着剤、またはコーティング剤等としての使用を提供する。組成物は建設分野において、特にシーラントまたは接着剤として、特に建築物および土木エンジニアリング計画におけるジョイントのための、ガラスエレメントおよび窓（好ましい）のための、そして衛生設備におけるシーラントまたは接着剤として好ましい用途を見出す。同様に機械的エンジニアリング、例えばモルタルビヒクル分野（好ましい）、電子および織物工業、工業プラントおよび施設において本組成物の使用も開いている。
【０１３２】
望まれる応用に従えば、ＲＴＶシリコーンゴム材料として本発明に従った組成物は、組成物が水又は空気中の湿気の影響下、室温で重合するいかなる基材上にも適用され得る。例えば、シーラントとしての使用では、本発明に従った組成物は、封止される継ぎ目等に導入される。本発明の組成物の接着剤としての使用では、組成物は、接続される部分の１または両方に適用され、それらが接合される。本発明に従った組成物は、全ての重要な材質、例えば、木、ニスが塗られた木、つや出しされた木、アルミニウム、粉で被覆したアルミニウム、ガラス、ＰＶＣ、ポリアミド、鋼、コンクリートや他の多くの材質への優れた粘着性によって特徴づけられる。得られる高分子は透明であり、有利な弾性と硬度を有する。さらに、本発明に従った組成物は、短いスキン形成時間、タックフリー時間、早期ひずみに特徴がある。さらに、本発明に従った組成物は、有利な毒性学上の特性を有し、快適なにおいを有する。さらに、本発明に従った組成物は、カートリッジ中の貯蔵特性が有利である。
【０１３３】
他の局面においては、本発明は、シリコーンゴム材料、特に、乳酸塩架橋剤を有し、互いに異なり互いに独立してカルボン酸金属塩から選択される少なくとも２つの化合物を含む触媒を有するシリコーンゴム材料を架橋する触媒の使用を提供する。
【０１３４】
本発明に従った使用において使用される触媒は、上に詳述されている。
【０１３５】
好ましくは、ビスマス−トリス（２−エチルヘキサノアト）、カルシウム−ビス（２−エチルヘキサノアト）、ナトリウム（２−エチルヘキサノアト）、亜鉛−ビス（２−エチルヘキサノアト）から選択される少なくとも１つのカルボン酸金属塩を含む触媒が使用される。
【０１３６】
特に好ましくは、使用される触媒は、カルシウム−ビス（２−エチルヘキサノアト）と亜鉛−ビス（２−エチルヘキサノアト）を含み、好ましくは数の比が１．３：１〜１：１．３である。
【０１３７】
特に好ましくは、使用される触媒は、ビスマス−トリス（２−エチルヘキサノアト）と亜鉛−ビス（２−エチルヘキサノアト）を含み、好ましくは数の比が１．３：１〜１：１．３である。
【０１３８】
特に好ましくは、使用される触媒はナトリウム（２−エチルヘキサノアト）と亜鉛−ビス（２−エチルヘキサノアト）を含み、好ましくは数の比が１．３：１〜１：１．３である。
【０１３９】
特に好ましくは、触媒は上に詳述した助触媒と共に使用される。さらに好ましくは、助触媒は塩基性化合物、特にトリアルキルアミン、特に好ましくはトリエチルアミンから選択される。
【０１４０】
助触媒を同時に使用して形成された重合生成物は、特に望ましい特性を有することが見出された。
【０１４１】
好ましくは、本発明に従った組成物に共に使用される塩基性助触媒と触媒の比は、１：２〜５：１（重量比）であり、さらに好ましくは２：３〜３：１であり、特に子好ましくは１：１〜２：１である。
【０１４２】
全シーラント組成物に対して、好ましくは、０．１〜０．５％のトリアルキルアミンが塩基性助触媒として使用され、さらに好ましくは、０．１〜０．４％であり、特に好ましくは０．２〜０．３％である。イオン交換樹脂が塩基性助触媒として使用されるのであれば、全シーラント組成物に対して０．２〜１．０％のイオン交換樹脂が使用され、さらに好ましくは０．３〜０．８％であり、特に好ましくは０．４〜０．６％である。
【０１４３】
特に好ましくは、触媒は、少なくとも１つのオルガノシリコーンと少なくとも１つの乳酸塩架橋剤とを有する、乳酸塩架橋剤を有するシリコーンゴム材料の架橋のために使用される。上述の組成物は好ましくは少なくとも１つのオルガノシリコーンと少なくとも１つの架橋剤として使用される。
【０１４４】
特に好ましくは、使用されるオルガノシリコーン化合物はα，ω−ジヒドロキシ末端ポリオルガノシロキサン化合物であり、好ましくは、α，ω−ジヒドロキシ末端ポリジアルキルシロキサン化合物である。
【０１４５】
特に好ましくは、使用される架橋剤はメチル−トリス（エチルラクタート）シラン、エチル−トリス（エチルラクタート）シラン、フェニル−トリス（エチルラクタート）シラン、ビニル−トリス（エチルラクタート）シラン、テトラ−トリス（エチルラクタート）シランからなる群から選択された少なくとも１つの化合物である。
【０１４６】
特に好ましくは、少なくとも１つの化合物と、乳酸塩基を有するシラン化合物を基礎とする少なくとも１つの架橋剤は、互いに異なり互いに独立してカルボン酸金属塩から選択される２つの化合物を含む触媒との混合に先立って、上に詳述したように、好ましくは第１の触媒を添加して、互いに混合され反応する。特に、第１の触媒は予備反応用であり、酸性化合物から選択され、特に好ましくは少なくとも１つの２−エチルヘキシルホスフェートが予備反応の第１の触媒として使用される。特に好ましい実施形態においては、触媒との混合に先立って、少なくとも１つのオルガノシリコーン化合物と、乳酸塩基を有するシラン化合物を基礎とする少なくとも１つの架橋剤が互いに混合され反応し、得られた組成物は塩基性化合物、好ましくはトリエチルアミンを触媒の混合に先立って加えることによって中和される。
【０１４７】
好ましくは、全シーラント組成物に対して０．０２〜０．１０％、好ましくは０．０３〜０．０８％であり、特に好ましくは０．０５〜０．０７％で酸性触媒が使用される。
【０１４８】
特に好ましくは、互いに異なり互いに独立してカルボン酸金属塩から選択される少なくとも２つの化合物を含む触媒を０．１〜５．０重量％を含み、オルガノシリコーン化合物４０ないし９０重量％と１〜１５重量％の架橋剤とともに使用される。
【０１４９】
記載された触媒の発明の使用によって、所望の応用に応じて、所望の特性を有する重合生成物が形成されるように、乳酸塩架橋剤を有するシリコーンゴム化合物の架橋は有利に制御される。
【実施例】
【０１５０】
実施例と比較例において、例えばＧｅｌｅｓｔ（アメリカ合衆国モリスビル）から入手可能な以下のカルボン酸金属塩が使用された。
【０１５１】
カルボン酸カルシウムとしては、ＣＡＳ−Ｎｏ．６８４０９−８０−３に分類されるカルシウム−ビス（２−エチルヘキサノアト）が使用される。
【０１５２】
カルボン酸リチウムとしては、ＣＡＳ−Ｎｏ．１５５９０−６２−２に分類されるリチウム（２−エチルヘキサノアト）が使用される。
【０１５３】
カルボン酸ストロンチウムとしては、ＣＡＳ−Ｎｏ．２４５７−０２−５に分類されるストロンチウム−ビス（２−エチルヘキサノアト）が使用される。
【０１５４】
カルボン酸亜鉛としては、ＣＡＳ−Ｎｏ．８５２０３−８１−２に分類される亜鉛−ビス（２−エチルヘキサノアト）が使用される。
【０１５５】
実施例と比較例で使用されるさらなる化学薬品は、例えば以下の名称のメーカーから入手可能である。
ポリジメチルシロキサン（８０００００ｃＳｔ）は、ドイツ連邦共和国ＢｕｒｇｈａｕｓｅｎのＷａｃｋｅｒ  Ｃｈｅｍｉｅから；
ポリメチルシロキサン（１００ｃＳｔ）は、ベルギー王国ＳｅｎｅｆｆｅのＤｏｗ  Ｃｏｒｎｉｎｇ；
充填剤（高分散ケイ酸）は、ドイツ連邦共和国のＣａｂｏｔ  Ｒｈｅｉｎｆｅｌｄｅｎから；
アミノプロピルポリエトキシシランは、ドイツ連邦共和国Ｎｉｔｒｏｃｈｅｍｉｅ  Ａｓｃｈａｕ  ＧｍｂＨ、ドイツ連邦共和国から；
カップリング剤は、ドイツ連邦共和国Ｎｉｔｒｏｃｈｅｍｉｅ  Ａｓｃｈａｕ  ＧｍｂＨ、ドイツ連邦共和国から；
助触媒（トリエチルアミン）は、ドイツ連邦共和国Ｎｉｔｒｏｃｈｅｍｉｅ  Ａｓｃｈａｕ  ＧｍｂＨ、ドイツ連邦共和国から；
架橋剤混合物は、ドイツ連邦共和国Ｎｉｔｒｏｃｈｅｍｉｅ  Ａｓｃｈａｕ  ＧｍｂＨ、ドイツ連邦共和国から、入手可能である。
【０１５６】
製造されたシーラントの製品特性の測定
【０１５７】
スキン形成時間、タックフリータイム、早期ひずみ、完全硬化、外観、およびショアＡ硬度の製造特性は、製造されたすべてのシーラントについて、常法（例えば、”Ｐｒａｘｉｓｈａｎｄｂｕｃｈ  Ｄｉｃｈｔｓｔｏｆｆｅ”  ｂｙ  Ｉｎｄｕｓｔｒｉｅｖｅｒｂａｎｄ  ｄｉｃｈｔｓｔｏｆｆｅ  ｅ．Ｖ．第三版、１９９０年）に従って測定された。すべての測定は２３℃および５０％湿度の条件下で実施された。
【０１５８】
スキン形成時間の測定のため、固化した材料の完全な層（スキン）がサンプルストランド上に検出された時間が測定された。
【０１５９】
タックフリータイムの測定のため、サンプルストランドの表面が粘着性を示さなくなる時間が測定された。
【０１６０】
早期ひずみの測定のため、高さ１０ｍｍを有するシリコーンストリップがシート金属ストリップへ適用された。弾性（ひずみ）はストリップを９０°曲げることによってテストされる。シリコーンストリップの表面が割れない時間が記録される。
【０１６１】
完全硬化の測定のため、シーラントが高さ４ｍｍにガラスプレートへ適用され、ガラスプレートへの完全硬化までの時間が測定される。
【０１６２】
表面架橋（切欠強度）の決定のために高さ１０ｍｍのシーリング組成物の１片がガラス板の上に置かれる。標準状態（２１〜２５℃、湿度４０〜５０％）で２４時間経過後、表面に切り目が押される。１０秒後、切り目が可逆であるかどうかを試験される。
【０１６３】
外観はオルガノレプチックテストによって決定される。
【０１６４】
ショアＡ硬度は、測定装置Ｚｗｉｃｋ−Ｒｏｅ１１−Ｍｅｓｓｇｅｒａｔ（ＡＳＴＭ  Ｄ  ２２４０；ＤＩＮ  ５３５０５：ＩＳＯ  ８６８）を用いて決定された。シーリング組成物のそれぞれの試料は１０ｍｍの高さに適用され、７日間、標準状態（２３℃／湿度５０％）に維持された。測定は７日間経過後に標準状態で行われた。
【０１６５】
実施例１：
触媒Ａの製造
【０１６６】
カルシウムと亜鉛のカルボン酸塩を含む、本発明に従った触媒Ａが生成される。
【０１６７】
触媒Ａに関して、カルシウム−ビス（２−エチルヘキサノアト）と亜鉛−ビス（２−エチルヘキサノアト）は４：５（重量比）の比率で混合される。
【０１６８】
実施例２：
シリコーンゴム基本混合物１の製造
【０１６９】
空気と湿気を除外して、以下の処方に従ってシリコーンゴム基本混合物１を調製する。
粘度８０，０００ｃＳｔを有するα，ω−ジヒドロキシ末端ポリジメチルシロキサン    ４８０．０ｇ
粘度１００ｃＳｔを有するポリジメチルシロキサン    ３５４．０ｇ
テトラ（エチルラクタート）シラン２８．１ｇとビニル−トリス（エチルラクタート）シラン２８．１ｇの架橋剤混合物    ５６．２ｇ
エチルヘキシルホスフェート（予備反応用触媒）０．５ｇ
【０１７０】
基本混合物の構成要素は、エチルヘキシルフォスフェートによって触媒されるプレ架橋（予備反応）によるプレポリマー（ヒドロキシ末端ポリジメチルシロキサンとシランとの反応生成物）を得るために、真空下、１０分間撹拌される。以下に記載する実施例と比較例においては、１０分後、得られたプレポリマーは、空気と湿気を除外して、シーラントとしてさらに処理される。
【０１７１】
実施例３：
シリコーンゴム基本混合物２の製造
【０１７２】
空気と湿気を除外して、以下の処方に従ってシリコーンゴム基本混合物１を調製する。
粘度８０，０００ｃＳｔを有するα，ω−ジヒドロキシ末端ポリジメチルシロキサン    ４８０．０ｇ
粘度１００ｃＳｔを有するポリジメチルシロキサン    ３５４．０ｇ
テトラ（エチルラクタート）シラン１６．９ｇとビニル−トリス（エチルラクタート）シラン３９．３ｇの架橋剤混合物    ５６．２ｇ
エチルヘキシルホスフェート（予備反応用触媒）０．５ｇ
【０１７３】
基本混合物の構成要素は、エチルヘキシルフォスフェートによって触媒されるプレ架橋（予備反応）によるプレポリマー（ヒドロキシ末端ポリジメチルシロキサンとシランとの反応生成物）を得るために、真空下、１０分間撹拌される。以下に記載する実施例と比較例においては、１０分後、得られたプレポリマーは、空気と湿気を除外して、シーラントとしてさらに処理される。
【０１７４】
比較例１：
亜鉛触媒を含むシーラント処方１
【０１７５】
実施例２で生成されたシリコーンゴム基本混合物１に、触媒として亜鉛−ビス（２−エチルヘキサノアト）２．０ｇと以下の添加物が加えられ、組成物が混合される。
高分散ケイ酸（充填剤）    ８８．０ｇ
カップリング剤（ＯＨ−ポリマーとジメチルアミノプロピル−トリメトキシシランの反応生成物）    １５．０ｇ
アミノプロピルトリエトキシシラン（チキソトロピック剤）    ３．０ｇ
トリエチルアミン（除触媒）    ２．０ｇ
【０１７６】
得られたシリコーンゴム混合物は、通常のカートリッジに充填され、記載したように試験される。
【０１７７】
シーラントは空気への曝露後次の性質を示す。
−  スキン形成時間  ７分
−  タックフリータイム  １５分
−  早期ひずみ  ６０分後
−  完全硬化  ２４時間後（切欠強度）
−  透明な外観
−  ショアＡ硬度２４
【０１７８】
さらに、シーラントは、木、ニスを塗られた木、つや出しされた木、アルミニウム、粉体で被覆したアルミニウム、ガラス、ＰＶＣ、ポリアミド、鋼、コンクリート等によい粘着性を有することが見出された。
【０１７９】
しかしながら、シーラントは、カートリッジ内の貯蔵安定性が不十分である。カートリッジ内で６０℃で４週間経過後、既に、空気に曝して７日間の硬化の後、シーラントのショアＡ硬度は１４である。その上、シーラントの黄変が観察される。
【０１８０】
比較例２：
リチウム触媒を含むシーラント処方２
【０１８１】
実施例３で生成されたシリコーンゴム基本混合物２に、触媒としてリチウム２−エチルヘキサノアト２．０ｇと以下の添加物が加えられ、組成物が混合される。
高分散ケイ酸（充填剤）    ８８．０ｇ
カップリング剤（ＯＨ−ポリマーとジメチルアミノプロピル−トリメトキシシランの反応生成物）    １５．０ｇ
アミノプロピルトリエトキシシラン（チキソトロピック剤）    ３．０ｇ
トリエチルアミン（除触媒）    ２．０ｇ
【０１８２】
得られたシリコーンゴム混合物は、通常のカートリッジに充填され、記載したように試験される。
【０１８３】
シーラントは空気への曝露後次の性質を示す。
−  スキン形成時間  ５分
−  タックフリータイム  １５分
−  早期ひずみ  ５０分後
−  完全硬化  ２４時間後（切欠強度）
−  透明な外観
−  ショアＡ硬度２４
【０１８４】
さらに、シーラントは、アルミニウム、粉体で被覆したアルミニウム、ガラス、ＰＶＣ、鋼によい粘着性を有することが見出された。対照的に、木、ニスを塗られた木、つや出しされた木、ポリアミド、コンクリートへの粘着性は悪かった。
【０１８５】
さらに、シーラントは、カートリッジ内の貯蔵安定性が不十分である。カートリッジ内で６０℃で４週間経過後、既に、以下のパラメータが劣化している。
−  ７日間空気に曝した後のショアＡ硬度は１６に過ぎない
−  シーラントの強い黄変
−  多くの基材への粘着が悪い
−  ２４時間後、完全硬化しない（切り欠き）
【０１８６】
比較例３：
ストロンチウム触媒を含むシーラント処方３
【０１８７】
実施例２で生成されたシリコーンゴム基本混合物１に、触媒としてストロンチウム−ビス（２−エチルヘキサノアト）２．０ｇと以下の添加物が加えられ、組成物が混合される。
高分散ケイ酸（充填剤）    ８８．０ｇ
カップリング剤（ＯＨ−ポリマーとジメチルアミノプロピル−トリメトキシシランの反応生成物）    １５．０ｇ
アミノプロピルトリエトキシシラン（チキソトロピック剤）    ３．０ｇ
トリエチルアミン（除触媒）    ２．０ｇ
【０１８８】
得られたシリコーンゴム混合物は、通常のカートリッジに充填され、記載したように試験される。
【０１８９】
シーラントは空気への曝露後次の性質を示す。
−  スキン形成時間  ５分
−  タックフリータイム  １５分
−  早期ひずみ  ５０分後
−  完全硬化  ２４時間後（切欠強度）
−  透明な外観
−  ショアＡ硬度２４
【０１９０】
さらに、シーラントは、アルミニウム、粉体で被覆したアルミニウム、ガラス、ＰＶＣ、鋼によい粘着性を有することが見出された。対照的に、木、ニスを塗られた木、つや出しされた木、ポリアミド、コンクリートへの粘着性は悪かった。
【０１９１】
さらに、シーラントは、カートリッジ内の貯蔵安定性が不十分である。カートリッジ内で６０℃で４週間経過後、既に、以下のパラメータが劣化している。
−  ７日間空気に曝した後のショアＡ硬度は１６に過ぎない
−  シーラントの強い黄変
−  多くの基材への粘着が悪い
−  ２４時間後、完全硬化しない（切り欠き）
【０１９２】
比較例１〜３は、既知の非スズ触媒を含むが、よい製品特性を有する乳酸塩架橋剤を有するシーラントを製造することができないことは明らかである。特に、既知の非スズ触媒によって製造されたシーリング組成物は、多くの材質において粘着性が悪く、貯蔵安定性も不十分である。
【０１９３】
実施例４：
本願発明の触媒（Ｃａ＋Ｚｎ）を含むシーラント処方１
【０１９４】
実施例２で生成されたシリコーンゴム基本混合物１に、触媒Ａ（実施例１）２．０ｇと以下の添加物が加えられ、組成物が混合される。
高分散ケイ酸（充填剤）    ８８．０ｇ
カップリング剤（ＯＨ−ポリマーとジメチルアミノプロピル−トリメトキシシランの反応生成物）    １５．０ｇ
アミノプロピルトリエトキシシラン（チキソトロピック剤）    ３．０ｇ
トリエチルアミン（除触媒）    ２．０ｇ
【０１９５】
得られたシリコーンゴム混合物は、通常のカートリッジに充填され、記載したように試験される。
【０１９６】
シーラントは空気への曝露後次の性質を示す。
−  スキン形成時間  ７分
−  タックフリータイム  １６分
−  早期ひずみ  ６０分後
−  完全硬化  ２４時間後（切欠強度）
−  透明な外観
−  ショアＡ硬度２０
【０１９７】
さらに、シーラントは、木、ニスを塗られた木、つや出しされた木、アルミニウム、粉体で被覆したアルミニウム、ガラス、ＰＶＣ、ポリアミド、鋼、コンクリートと、他の多くの材質によい粘着性を有することが見出された。
【０１９８】
さらに、シーラントは、カートリッジ内のよい貯蔵安定性が特徴的である。カートリッジ内で６０℃で４週間経過後、最初に空気に曝した時と同じ特性を有している。
【０１９９】
実施例５：
本願発明の触媒（Ｃａ＋Ｚｎ）を含むシーラント処方２
【０２００】
実施例２で生成されたシリコーンゴム基本混合物２に、触媒Ａ（実施例１）２．０ｇと以下の添加物が加えられ、組成物が混合される。
高分散ケイ酸（充填剤）    ８８．０ｇ
カップリング剤（ＯＨ−ポリマーとジメチルアミノプロピル−トリメトキシシランの反応生成物）    １５．０ｇ
アミノプロピルトリエトキシシラン（チキソトロピック剤）    ３．０ｇ
トリエチルアミン（除触媒）    ２．０ｇ
【０２０１】
得られたシリコーンゴム混合物は、通常のカートリッジに充填され、記載したように試験される。
【０２０２】
シーラントは空気への曝露後次の性質を示す。
−  スキン形成時間  １０分
−  タックフリータイム  ２５分
−  早期ひずみ  ７０分後
−  完全硬化  ２４時間後（切欠強度）
−  透明な外観
−  ショアＡ硬度２１
【０２０３】
さらに、シーラントは、木、ニスを塗られた木、つや出しされた木、アルミニウム、粉体で被覆したアルミニウム、ガラス、ＰＶＣ、ポリアミド、鋼、コンクリートと、他の多くの材質によい粘着性を有することが見出された。
【０２０４】
さらに、シーラントは、カートリッジ内のよい貯蔵安定性が特徴的である。カートリッジ内で６０℃で４週間経過後、最初に空気に曝した時と同じ特性を有している。
【０２０５】
比較例１〜３で製造されたシーラントとは対照的に、本発明に従った触媒Ａを用いた乳酸塩架橋剤を有するシーラントは、シーラントの処方１，２において使用される架橋剤とは無関係に、単に優れた製造特性に特徴があるだけでなく、優れた貯蔵安定性を有する。